(57)【要約】【課題】  指針と表示板との間から漏れる光を有効に活用し、新規な見栄えの照明を行うことが可能な照明装置を提供するものである。【解決手段】  回動中心領域Ｒに受光部１３を有する透光性の指針本体１０とこの指針本体１０の回動中心領域Ｒを覆う遮光性部材である遮光性カバー１１とを備える指針１と、この指針１の背後に所定距離を隔てて配置され受光部１３対応部分に透光部２１を有する表示板２と、表示板２の背面側に位置し指針１の受光部１３に照明光を供給することにより指針１を光輝させる光源３と、指針１と表示板２の間に位置し遮光性カバー１１側に延びる筒状の壁部４１を備える光透過性部材であるカラー部材４とを備えたものである。【選択図】  図１
2005214823.tif 000002
【特許請求の範囲】
【請求項１】
回動中心領域に受光部を有する透光性の指針本体とこの指針本体の回動中心領域を覆う遮光性部材とを備える指針と、この指針の背後に所定距離を隔てて配置され前記受光部対応部分に透光部を有する表示板と、前記表示板の背面側に位置し前記受光部に照明光を供給することにより前記指針を光輝させる光源と、前記指針と前記表示板の間に位置し前記遮光性部材側に延びる筒状の壁部を備える光透過性部材とを備えたことを特徴とする照明装置。
【請求項２】
前記光透過性部材が前記表示板を保持部材に固定することを特徴とする請求項１に記載の照明装置。
【請求項３】
前記光透過性部材が着色された光透過性の材料からなることを特徴とする請求項１または請求項２に記載の照明装置。
【請求項４】
前記光透過性部材が異なる少なくとも２色に着色された光透過性の材料からなることを特徴とする請求項３に記載の照明装置。
【請求項５】
前記光透過性部材の少なくとも壁部に微細な凹凸を設けたことを特徴とする請求項１または請求項２に記載の照明装置。
【請求項６】
前記光透過性部材の一部が遮光性材料からなることを特徴とする請求項１または請求項２に記載の照明装置。
【発明の詳細な説明】
【技術分野】
【０００１】
本発明は、例えば車両用計器に採用される照明装置に関し、特に指針と表示板との間から漏れる光を有効に活用する照明装置に関するものである。
【背景技術】
【０００２】
従来、表示板上で回動する指針を光透過性の部材から形成し、表示板の背後に光源を配置し、この光源からの照明光を表示板の貫通孔を通じて指針に供給し、指針自体を光輝させる照明装置が知られている。
【０００３】
この照明装置は、その指針の回動中心領域が、キャップ状の遮光性カバーにて覆われており、さらに、表示板の貫通孔周囲に円環状の遮光リングを設けて、指針と表示板との間からの光洩れを抑えたものであった（例えば、特許文献１参照）。
【特許文献１】実開昭６３−１２４６１９号公報（第１図、第２図）
【発明の開示】
【発明が解決しようとする課題】
【０００４】
しかしながら、従来の照明装置では、指針と表示板との間から光漏れを抑えていたので、指針の遮光性カバーの周囲が光らず、照明の見栄えに目新しさが欠けていた。また、近年、車両用計器においては、新しい照明の見栄えが望まれている。
【０００５】
そこで、本発明は、指針と表示板との間から漏れる光を有効に活用し、新規な見栄えの照明を行うことが可能な照明装置を提供するものである。
【課題を解決するための手段】
【０００６】
本発明は、前記目的を達成するため、回動中心領域に受光部を有する透光性の指針本体とこの指針本体の回動中心領域を覆う遮光性部材とを備える指針と、この指針の背後に所定距離を隔てて配置され前記受光部対応部分に透光部を有する表示板と、前記表示板の背面側に位置し前記受光部に照明光を供給することにより前記指針を光輝させる光源と、前記指針と前記表示板の間に位置し前記遮光性部材側に延びる筒状の壁部を備える光透過性部材とを備えたものである。
【０００７】
また、前記光透過性部材が前記表示板を保持部材に固定するものである。
【０００８】
また、前記光透過性部材が着色された光透過性の材料からなるものである。
【０００９】
また、前記光透過性部材が異なる少なくとも２色に着色された光透過性の材料からなるものである。
【００１０】
また、前記光透過性部材の少なくとも壁部に微細な凹凸を設けた
ものである。
【００１１】
また、前記光透過性部材の一部が遮光性材料からなるものである。
【発明の効果】
【００１２】
以上、本発明により、初期の目的を達成することができ、指針と表示板との間から漏れる光を有効に活用し、新規な見栄えの照明を行うことが可能な照明装置を提供することができる。
【発明を実施するための最良の形態】
【００１３】
本発明による照明装置は、回動中心領域Ｒに受光部１３を有する透光性の指針本体１０とこの指針本体１０の回動中心領域Ｒを覆う遮光性部材である遮光性カバー１１とを備える指針１と、この指針１の背後に所定距離を隔てて配置され受光部１３対応部分に透光部２１を有する表示板２と、表示板２の背面側に位置し指針１の受光部１３に照明光を供給することにより指針１を光輝させる光源３と、指針１と表示板２の間に位置し遮光性カバー１１側に延びる筒状の壁部４１を備える光透過性部材であるカラー部材４とを備えたものである。このように構成したことにより、指針１と表示板２との間から漏れる光を有効に活用し、新規な見栄えの照明を行うことが可能な照明装置を提供することができる。
【００１４】
また、カラー部材４が表示板２を保持部材であるケース７あるいは導光体５０に固定するものである。このように構成したことにより、指針１と表示板２との間から漏れる光を有効に活用し、新規な見栄えの照明を行うことが可能な照明装置を提供することができる。また、カラー部材４が表示板２を固定することができる。
【００１５】
また、カラー部材４が着色された光透過性の材料からなるものである。このように構成したことにより、指針１と表示板２との間から漏れる光を有効に活用し、新規な見栄えの照明を行うことが可能な照明装置を提供することができる。
【００１６】
また、カラー部材４が異なる少なくとも２色に着色された光透過性の材料からなるものである。このように構成したことにより、指針１と表示板との間から漏れる光を有効に活用し、新規な見栄えの照明を行うことが可能な照明装置を提供することができる。
【００１７】
また、カラー部材４の少なくとも壁部４１に微細な凹凸を設けたものである。このように構成したことにより、指針１と表示板２との間から漏れる光を有効に活用し、新規な見栄えの照明を行うことが可能な照明装置を提供することができる。
【００１８】
また、カラー部材４の一部が遮光性材料からなるものである。このように構成したことにより、指針１と表示板２との間から漏れる光を有効に活用し、新規な見栄えの照明を行うことが可能な照明装置を提供することができる。
【実施例１】
【００１９】
以下、本発明の実施例を図１を用いて説明するが、図１は本発明による照明装置を指針式メータに適用したものである。
【００２０】
指針式メータ装置は、指針１と、この指針１の背後に所定距離を有して配置される表示板２と、この表示板２の背後に、本実施例では、指針１の回動中心領域Ｒの背後に所定距離を有して配置される光源３と、指針１と表示板２との間に配置される光透過性部材であるカラー部材４とから構成され、指針１は計器本体５から伸長する指針軸６に表示板２、カラー部材４を介して連結固定され、計器本体５の指針軸６の駆動に応じた指針１の軸回り回動により、表示板２に形成された目盛、文字等の図示しない表示意匠部を指示すると共に、光源３の点灯により、指針１が照明されるようになっている。なお、７は白色の合成樹脂から成る保持部材である円筒形のケースであり、光源３の光の拡散を防止する仕切り部材を兼ねている。また、８は光源３や計器本体５が固定される回路基板であり、ガラスエポキシ樹脂などから構成されている。この回路基板８は、ケース７に固定されている。
【００２１】
指針１は、ポリカーボネートやアクリル合成樹脂からなる透光性の指針本体１０と、この指針本体１０の回動中心領域Ｒの前方及びその周囲を覆って背後が開口する、黒色系の遮光性合成樹脂からなる遮光性部材であるキャップ形の遮光性カバー１１と、指針本体１０の回動中心領域Ｒの背後（図１中、指針本体１０の下側）に固定され、黒色系の遮光性合成樹脂からなる円盤形の被覆部材１２とからなる。なお、遮光性カバー１１と被覆部材１２で覆われる空間内での光を損失を抑えるために、遮光性カバー１１と被覆部材１２の内面を白色に塗装してある。あるいは、内面を白色の合成樹脂とし、外面を黒色の合成樹脂で形成してもよい。
【００２２】
指針本体１０は、その回動中心領域Ｒに、光源３の照明光を内部に採り入れる受光部１３と、この受光部１３より採り入れた照明光を先端側に反射する指針反射部１４とを備えている。
【００２３】
被覆部材１２は、指針軸６に連結されるボス部１５と、受光部１３が貫通し露出する採光部１６とを備えている。
【００２４】
表示板２は、透明な合成樹脂からなる基材の表面に、所定色からなり目盛、文字、マーク等を形成する透光性の着色印刷層と、この着色印刷層の周囲を囲むように目盛、文字、マーク等の背景となる地色印刷層とを備え（図示しない）、前記地色印刷層は、本実施例では白色系の着色インクを用いて形成されている。また、表示板２は指針軸６及び指針本体１の受光部１３に対応する領域に貫通孔状の透光部２１を備えている。
【００２５】
光源３は表面実装可能なチップ形の発光ダイオードであり、指針軸６の周囲に、複数個設けられている。
【００２６】
カラー部材４は光透過性の材料で形成されており、本実施例では、透明な合成樹脂からなり、表示板２の透光部２１の周縁を囲んで、かつ、その先端が遮光性カバー１１に向けて延びる筒状の壁部４１と、この壁部４１の下端外周部より透光部２１の周囲に突出して表示板２の表面に当接するフランジ４２と、壁部４１の下端より部分的に指針軸６に沿って伸長し且つその先端に外方へ向けて突出する係合部４３を有する脚部のような弾性片４４とから構成されている。なお、壁部４１は、その先端部が遮光性カバー１１内に入り込んでいる。
【００２７】
そして、表示板２とケース７とを重ねて配置した状態で、透光部２１にカラー部材４の係止片４４を挿入し、係止片４４の係合部４３をケース７の背面に係合させることにより、カラー部材４をケース７に固定する。同時に、カラー部材４が表示板２を固定する。つまり、表示板４の透光部２１がカラー部材４とケース７で挟まれるように固定される。よって、表示板４の透光部２１が、指針１側へ浮き上がることを防止することができる。
【００２８】
このように構成したことにより、指針１と表示板２との間から漏れた光が、カラー部材４を透過して指針２の遮光性カバー１１の周囲を照明することとなり、指針１と表示板２との間から漏れる光を有効に活用し、今までにない新しい照明の見栄えを行うことが可能な照明装置を提供することができる。
【００２９】
なお、本実施例では、被覆部材１２に指針軸６に連結されるボス部１５を設けたものであったが、指針１（指針本体１０）に指針軸６と連結するボス部を設け、被覆部材１２には、前記ボス部が貫通する孔部を形成したものでもよい。この場合、被覆部材１２は、指針本体１０の回動中心領域Ｒの背面（光源３側）のみを覆う部材となる。あるいは、被覆部材１２を取り除いてもよい。
【実施例２】
【００３０】
図２は本発明の第２実施例であり、第１実施例と同一もしくは相当箇所には同一符号を付してある。
【００３１】
第１実施例では、光透過性部材であるカラー部材４を固定する保持部材として、ケース７を用いていたが、本実施例では、光源３の光を指針１に導く導光体５０を保持部材として採用している。
【００３２】
導光体５０は透明な合成樹脂からなり、光源３の光を指針１に導くほぼ円筒形である。この円筒形の導光体５０には複数の脚部５１が一体に形成されている。この脚部５１は水平方向に張り出した水平部５２と、この水平部５２から垂直方向に垂れ下がった垂直部５３とで構成されている。また、垂直部５３の先端部分には、導光体５０を回路基板８に設けた貫通孔８１に挿入されるピン５４が設けられている。このピン５４は、導光体５０を回路基板８に位置決めするものである。また、導光体５０の一部と脚部５１は表示板２の背後に設けられており、導光体５０の一部が表示板２０の透光部２１から指針１側に突出している。この突出した導光体５０の外周に、カラー部材４を固定する係止爪５５が二つ設けられている。
【００３３】
本実施例のカラー部材４は、第１実施例のカラー部材４の係合部４３を有する弾性片４４の代わりに、壁部４１の下端より壁部４１の内側に突出した突出片４５を備えている。この突出片４５は、導光体５０の係止爪５５に係止するものであり、カラー部材４は、導光体５０に固定される。これによって、カラー部材４のフランジ４２と導光体５０の水平部５２とで、表示板２とケース７とが挟まれるように固定され、よって、表示板４の透光部２１が固定され、指針１側への浮き上がりを防止することができる。
【００３４】
このように構成したことにより、本実施例も第１実施例と同様に、指針１と表示板２との間から漏れた光が、カラー部材４を透過して指針２の遮光性カバー１１の周囲を照明することとなり、指針１と表示板２との間から漏れる光を有効に活用し、今までにない新しい照明の見栄えを行うことが可能な照明装置を提供することができる。また、カラー部材４で表示板２を固定するので、導光体５０で直接表示板２を固定する場合に対して、導光体５０の形状に影響を及ぼすことがなく、指針１に供給する光への影響を抑え、良好に指針１を照明することができる。
【００３５】
なお、前記各実施例では、光透過性部材であるカラー部材４をケース７や導光体５０などの保持部材に固定して、表示板２を固定していたが、カラー部材４は表示板２を固定する必要はなく、指針１と表示板２との間から漏れた光を透過するだけのものであってもよい。
【００３６】
また、前記各実施例では、光透過性部材であるカラー部材４は透明であったが、前記各実施例に限定されるものではなく、着色された光透過性の材料で形成してもよい。このように構成することによって、例えば、光源３の照明色が白で、カラー部材４を赤色に着色した場合、指針１を白色で照明し、カラー部材４を透過した色を赤とし、白色の指針１の周囲を赤色で照明することとなる。指針１とその周囲を異なる照明色で照明することができ、指針１と表示板２との間から漏れる光を有効に活用し、新規な見栄えの照明を行うことが可能である。なお、着色は赤色に限定されるものではない。
【００３７】
また、カラー部材４の着色としては、半透明の乳白色であってもよい。この場合、指針１と表示板２との間から漏れる光を良好に拡散することができ、指針１と表示板２との間から漏れる光を有効に活用し、新規な見栄えの照明を行うことが可能である。あるいは、黒などの暗色とすることで、指針１と表示板２との間から漏れる光の明るさを調整することもできる。
【００３８】
また、光透過性部材であるカラー部材４を異なる少なくとも２色の着色された光透過性の材料で形成してもよい。このように構成することによって、指針１の周囲を異なる照明色で照明することが可能となる。例えば、車両の速度計などにおいては、１００ｋｍ／ｈ以下を青系の色で照明し、１００ｋｍ／ｈ以上を赤系の色で照明することもでき、指針１と表示板２との間から漏れる光を有効に活用し、新規な見栄えの照明を行うことが可能である。また、異なる着色は２色に限定されるものではなく、３色以上でもよい。
【００３９】
また、光透過性部材であるカラー部材４の少なくとも壁部４１に微細な凹凸を設けてもよい。この場合、指針１と表示板２との間から漏れる光を良好に拡散することができ、指針１と表示板２との間から漏れる光を有効に活用し、新規な見栄えの照明を行うことが可能である。なお、微細な凹凸を設ける部分としては、カラー部材４の表面全域に設けてもよいし、また、壁部４１の一部にのみ設けてもよい。
【００４０】
また、カラー部材４の一部を遮光性材料で形成してもよい。このように構成することによって、指針１の周囲に、指針１と表示板２との間から光が漏れず照明されない部分を設けることができる。例えば、指針１が回動する範囲を照明し、指針２が回動しない範囲は照明しないということもでき、新規な見栄えの照明を行うことが可能である。
【００４１】
また、図示していないが、指針１と表示板２との間から漏れる光で、表示板２やその周囲の見返し部材などに形成した平面や曲面を照明することで、新規な見栄えの照明を行うことも可能である。
【図面の簡単な説明】
【００４２】
【図１】本発明の第１実施例の断面図。
【図２】本発明の第２実施例の断面図。
【符号の説明】
【００４３】
１  指針
２  表示板
３  光源
４  カラー部材（光透過性部材）
７  ケース（保持部材）
１０  指針本体
１１  遮光性カバー（遮光性部材）
１３  受光部
２１  透光部
４１  壁部
５０  導光体（保持部材）
Ｒ  回動中心領域
【図１】
2005214823.tif 000003
【図２】
2005214823.tif 000004